(57)【要約】【課題】本発明は、袋詰め部と真空包装部とをベルトコンベアにより連続的に移送できる傾き移送式真空包装装置を提供する。【解決手段】コンベア台車６は、袋詰め部２側にタレ供給ノズル１に対向して、こぼれた液を受け取るタレ流下溝７及び袋口を当接する袋位置決め板８を設けると共に、真空包装部５側に拡開装置３に対向した位置に受け枕９を設け、さらに前記コンベア台車６の全長に亘って傾（かたむ）いた状態でベルトコンベア１０を懸架する。また、前記コンベア台車６は、前記袋詰め部２と前記真空包装部５に渡って配置される長さに形成され、脚部にキャスター１９を設けて移動自在とし、前記コンベア台車６を前記真空包装部５の支持フレーム２０内へ出し入れ自在にする。【選択図】図１
2018002252.tif 000002
【特許請求の範囲】
【請求項１】
袋詰め部と、真空包装部と、前記袋詰め部と前記真空包装部に渡って配置されたコンベア台車とからなり、該コンベア台車は、前記袋詰め部側にタレ流下溝及び袋位置決め板を設けると共に、前記真空包装部側に受け枕を設け、さらに前記コンベア台車の全長に亘って傾いた状態でベルトコンベアを懸架することを特徴とする傾き移送式真空包装装置。
【請求項２】
調味液を充填するタレ供給ノズルを備えた袋詰め部と、袋口部を拡開させる拡開装置及び真空チャンバーとからなる真空包装部と、前記袋詰め部と前記真空包装部に渡って配置されたコンベア台車とからなり、該コンベア台車は、前記袋詰め部側に前記タレ供給ノズルに対向してタレ流下溝及び袋位置決め板を設けると共に、前記真空包装部側に前記拡開装置に対向して受け枕を設け、さらに前記コンベア台車の全長に亘って傾いた状態でベルトコンベアを懸架することを特徴とする傾き移送式真空包装装置。
【請求項３】
前記真空チャンバーは、前記コンベア台車の上面上に昇降する下方開口の箱体状からなり、内部に上下動する袋押え板と、該袋押え板と協働して袋口部を押える押え金と、さらに袋口側には上下動する熱圧着体とを設け、さらに、前記真空チャンバーの下端面には、前記コンベア台車の上面とベルトコンベアとの段差部を完全密封するため、シリコンゴムからなる密封体を設けることを特徴とする請求項２記載の傾き移送式真空包装装置。
【請求項４】
前記受け枕は、ベルトコンベア枠に上下動可能に密封嵌合され、前記コンベア台車には、前記ベルトコンベア枠に設けた前記受け枕を上下動させる押上シリンダーを設け、前記受け枕は上下動する熱圧着体とで充填された袋の赤道の位置合わせで密封シールを行うことを特徴とする請求項２記載の傾き移送式真空包装装置。
【請求項５】
前記受け枕は、押上シリンダーで押し上げた時に前記受け枕の高さ位置が設定され、押上シリンダーを後退させた時に前記受け枕が自重で下降するように形成されていることを特徴とする請求項４記載の傾き移送式真空包装装置。
【発明の詳細な説明】
【技術分野】
【０００１】
本発明は、粉状物や流動物、例えば米、豆やカレー、シチューなどを、全ての作業が傾斜状態で行われる傾き移送式真空包装装置に関する。
【背景技術】
【０００２】
従来、袋ホッパーの空袋を取り上げて斜めに空袋を開口保持して被包装物を傾斜状態で袋詰し、袋詰した袋を傾斜状態でそのまま移送し真空密封包装し、真空密封した包装袋を連続的に搬出する真空包装装置が知られている（特許文献１を参照）。
この公知技術は、袋詰めした袋を下方に待機している移動テーブルに載せ、前記移動テーブルを真空包装部へ移動させ、前記真空包装部では最初にエアー噴射ノズルが作動して袋口を予備開口し、その後、拡開爪が前進して拡開し、袋口部を左右に拡げて袋口を揃え、その後、真空バケットを被せることにより移動テーブル上面と真空バケット内面とで形成したチャンバーの内部を減圧し、押圧パッドにより袋詰された袋を押圧することで袋詰めされた袋を平坦にし、平坦にした状態で上下動するヒーター作動シリンダーロッドの下端に設けたヒーターにより袋口部を完全に真空包装する真空包装装置である。
【０００３】
上記公知技術の真空包装装置は、移動テーブルが袋詰め部と真空包装部とを往復動しなければならないため、大量に処理しなければならない場合には往復時間のタイムロスが大きく改善が望まれていた。
そこで、本出願人は、前記真空包装装置を改良し、袋詰め部と真空包装部とをベルトコンベアにより連続的に包装できる真空包装装置を開発した。
【０００４】
また、袋口部のシールを皺なく、綺麗に仕上げるために、充填された袋の赤道（袋詰めされた袋の厚さの二等分線）の位置合わせで密封シールを行うように改善した。
【先行技術文献】
【特許文献】
【０００５】
【特許文献１】特開２０１１−２４６１３４号公報
【発明の概要】
【発明が解決しようとする課題】
【０００６】
本発明は、袋詰め部と真空包装部とをベルトコンベアにより連続的に移送できる傾き移送式真空包装装置を提供することを目的とする。
【課題を解決するための手段】
【０００７】
本発明の傾き移送式真空包装装置は、調味液を充填するタレ供給ノズルを備えた袋詰め部と、袋口部を拡開させる拡開装置及び真空チャンバーとからなる真空包装部と、前記袋詰め部と前記真空包装部に渡って配置されたコンベア台車とからなり、該コンベア台車は、前記袋詰め部側に前記タレ供給ノズルに対向してタレ流下溝及び袋位置決め板を設けると共に、前記真空包装部側に前記拡開装置に対向して受け枕を設け、さらに前記コンベア台車の全長に亘って傾いた状態でベルトコンベアを懸架する。
前記真空チャンバーは、前記コンベア台車の上面上に昇降する下方開口の箱体状からなり、内部に上下動する袋押え板と、該袋押え板と協働して袋口部を押える押え金と、さらに袋口側には上下動する熱圧着体とを設け、さらに、前記真空チャンバーの下端面には、前記コンベア台車の上面とベルトコンベアとの段差部を完全密封するため、シリコンゴムからなる密封体を設ける。
前記受け枕は、ベルトコンベア枠に上下動可能に密封嵌合され、前記コンベア台車には、前記ベルトコンベア枠に設けた前記受け枕を上下動させる押上シリンダーを設け、前記受け枕は上下動する熱圧着体とで充填された袋の赤道の位置合わせで密封シールを行う。
【発明の効果】
【０００８】
本発明の傾き移送式真空包装装置は、袋詰め部と真空包装部とをベルトコンベアにより連続的に移送できるため、往復時間のタイムロスなく、かつ大量に処理することができる効果がある。
また、充填された袋の赤道（袋詰めされた袋の厚さの二等分線）の位置合わせで密封シールを行うため、袋口部のシールを皺なく、綺麗に仕上げることができる。
【図面の簡単な説明】
【０００９】
【図１】本発明の傾き移送式真空包装装置のベルトコンベアに直面して表示した概略配置平面図である。
【図２】真空チャンバーを（ａ）下から見た底面図、（ｂ）Ａ−Ａ矢視部分断面図である。
【図３】真空チャンバーを袋詰め部側から見た右側面図である。
【図４】受け枕の（ａ）作動時、（ｂ）待機時の説明図である。
【発明を実施するための形態】
【００１０】
本発明の傾き移送式真空包装装置の一実施例を添付図面に基づいて、以下に説明する。
図１の概略平面図に示すように、本発明の傾き移送式真空包装装置は、調味液を充填するタレ供給ノズル１を備えた袋詰め部２と、袋口部を拡開させる拡開装置３及び真空チャンバー４とからなる真空包装部５と、前記袋詰め部２と前記真空包装部５に渡って配置されたコンベア台車６とからなり、該コンベア台車６は、前記袋詰め部２側に前記タレ供給ノズル１に対向してタレ流下溝７及び袋位置決め板８を設けると共に、前記真空包装部５側に前記拡開装置３に対向して受け枕９を設け、さらに前記コンベア台車６の全長に亘って傾いた状態でベルトコンベア１０を懸架する。
【００１１】
前記袋詰め部２は、従来周知の袋詰め部のように、斜め上方位置に配置された往復移動可能な供給トレーと、該供給トレー内部に収納された被包装物を押し出す往復動可能なプッシャーと、前記供給トレーの先端下部に設けられ、袋詰め位置の空袋の袋口部に挿入される開口補助舌片と、該開口補助舌片に向かって斜め上方からエアーを吹き付けるエアーノズルとからなるものでも良いが、この実施例では、予め袋詰めされた魚卵（例えば、数の子）にタレ供給ノズル１により、調味液を充填する袋詰め部としている。
【００１２】
前記拡開装置３は、前記袋詰め部２の下流側に配置され、袋詰めされた袋Ｂに挿入され拡開することにより袋口を揃える左右の拡開爪１１と、該拡開爪１１をリンク機構により拡げる動作を行う拡開ロッド１２と、該拡開ロッド１２を前後に移動させる拡開動作シリンダー１３からなる。
前記真空チャンバー４は、図２（ａ）の下から見た底面図に示すように、前記コンベア台車６の上面上に昇降する下方開口の箱体状からなり、内部に上下動する袋押え板１４と、該袋押え板１４と協働して袋口部を押える押え金１５と、さらに袋口側には上下動する熱圧着体１６とを設ける。
さらに、前記真空チャンバー４の下端面には、図２（ｂ）のＡ−Ａ矢視部分断面図に示すように、前記コンベア台車６の上面とベルトコンベア１０との段差部を完全密封するため、シリコンゴムからなる密封体１７を設ける。なお、番号１８は、真空度を調節するための真空調整バルブである。
【００１３】
前記コンベア台車６は、前記袋詰め部２側に前記タレ供給ノズル１に対向して、こぼれた液を受け取るタレ流下溝７及び袋口を当接する袋位置決め板８を設けると共に、前記真空包装部５側に前記拡開装置３に対向した位置に受け枕９を設け、さらに前記コンベア台車６の全長に亘って傾（かたむ）いた状態でベルトコンベア１０を懸架する。
前記コンベア台車６は、前記袋詰め部２と前記真空包装部５に渡って配置される長さに形成され、図３の右側面図に示すように、脚部にキャスター１９を設けて移動自在とし、前記コンベア台車６を前記真空包装部５の支持フレーム２０内へ出し入れ自在にする。
また、前記コンベア台車６の上部には長さの違う支柱２１、２２を配置し、傾（かたむ）き移送できるようにベルトコンベア枠２３を設け、両端にプーリー２４を配置してベルトコンベア１０を懸架する。
図１に示すように、前記真空包装部５側のプーリー２４には噛合いクラッチ２５を介してモーター２６を配置し、前記コンベア台車６を移動する際には、前記モーター２６を後退させて噛合いクラッチ２５を外し、移動可能にする。
図３に示すように、前記コンベア台車６には、前記ベルトコンベア枠２３に設けた受け枕９を上下動させる押上シリンダー２７を設ける。
前記受け枕９は、前記ベルトコンベア枠２３に上下動可能に密封嵌合され、充填された袋Ｂの赤道（袋詰めされた袋の厚さの二等分線）の位置合わせで密封シールを行うようにする。図４（ａ）の説明図に示すように、押上シリンダー２７で押し上げた時に前記受け枕９の高さ位置が設定される。また、図４（ｂ）の説明図に示すように、押上シリンダー２７を後退させた時には前記受け枕９が自重で下降するように形成れている。
したがって、充填された袋Ｂの厚さに応じて前記受け枕９の高さ位置を変える場合は、前記受け枕９を引き抜き、高さ調節した別の受け枕９を挿入することで新しい充填された袋Ｂの厚さに対応することができる。
なお、番号２８はエアーホース、２９はエアーシリンダーである。
【００１４】
次に、本発明の傾き移送式真空包装装置の操作動作を添付図面に基づいて、以下に説明する。
図１に示すように、あらかじめ被包装物（例えば、数の子）を袋詰めした袋Ａをそれぞれのタレ供給ノズル１に、袋位置決め板８に袋口縁を当接させて位置決めする。袋詰めされた袋Ａがセッテングされたことをセンサーで検知すると、袋詰め部２が動作して前記タレ供給ノズル１から調味液が前記袋Ａに充填される。
充填が終了すると、ベルトコンベア１０が回転して前記袋Ａは真空包装部５へ送られる。その際、前記ベルトコンベア１０は図３に示すように袋口が上方を向き傾いた状態であるため、調味液が前記袋Ａからこぼれることはない。
前記真空包装部５では、拡開装置３の拡開動作シリンダー１３が作動して拡開爪１１が前進し、拡開ロッド１２のリンク機構により前記拡開爪１１が左右に拡開して充填された袋Ｂの袋口を拡げて平坦に揃える。
【００１５】
真空チャンバー４がエアーシリンダー２９により下降してベルトコンベア枠２３とベルトコンベア１０との段差部を密封体１７によりシールして密封状態を維持すると同時に、袋押え板１４により前記袋Ｂを押えて平坦状態にし、押え金１５により平坦にされている袋口部を押える。
そして、図４（ａ）に示すように、押上シリンダー２７で受け枕９を押し上げ、前記真空チャンバー４内の空気を抜いて減圧し、前記受け枕９と熱圧着体１６により密封シールする。
その後、前記真空チャンバー４を大気圧に戻し、エアーシリンダー２９により前記真空チャンバー４を上昇させて前記ベルトコンベア１０を回転させて包装袋Ｂを搬出する。その際、前記袋詰め部２では前記袋Ａへの調味液の充填が完了しており、引き続き、次の袋Ｂの真空包装が行える。
【符号の説明】
【００１６】
１  タレ供給ノズル
２  袋詰め部
３  拡開装置
４  真空チャンバー
５  真空包装部
６  コンベア台車
７  タレ流下溝
８  袋位置決め板
９  受け枕
１０  ベルトコンベア
１１  拡開爪
１２  拡開ロッド
１３  拡開動作シリンダー
１４  袋押え板
１５  押え金
１６  熱圧着体
１７  密封体
１８  真空調整バルブ
１９  キャスター
２０  支持フレーム
２１  支柱
２２  支柱
２３  ベルトコンベア枠
２４  プーリー
２５  噛合いクラッチ
２６  モーター
２７  押上シリンダー
２８  エアーホース
２９  エアーシリンダー
【図１】
2018002252.tif 000003
【図２】
2018002252.tif 000004
【図３】
2018002252.tif 000005
【図４】
2018002252.tif 000006
【手続補正書】
【提出日】平成29年4月10日(2017.4.10)
【手続補正１】
【補正対象書類名】特許請求の範囲
【補正対象項目名】全文
【補正方法】変更
【補正の内容】
【特許請求の範囲】
【請求項１】
袋詰め部と、真空包装部と、前記袋詰め部と前記真空包装部に渡って配置されたコンベア台車とからなり、該コンベア台車は、前記袋詰め部側にタレ流下溝及び袋位置決め板を設けると共に、前記真空包装部側に受け枕を設け、さらに前記コンベア台車の全長に亘って進行方向に対してコンベアベルトの片側を高くし反対側を低くして傾いた状態で傾斜ベルトコンベアを懸架することを特徴とする傾き移送式真空包装装置。
【請求項２】
調味液を充填するタレ供給ノズルを備えた袋詰め部と、袋口部を拡開させる拡開装置及び真空チャンバーとからなる真空包装部と、前記袋詰め部と前記真空包装部に渡って配置されたコンベア台車とからなり、該コンベア台車は、前記袋詰め部側に前記タレ供給ノズルに対向してタレ流下溝及び袋位置決め板を設けると共に、前記真空包装部側に前記拡開装置に対向して受け枕を設け、さらに前記コンベア台車の全長に亘って進行方向に対してコンベアベルトの片側を高くし反対側を低くして傾いた状態で傾斜ベルトコンベアを懸架することを特徴とする傾き移送式真空包装装置。
【請求項３】
前記真空チャンバーは、前記コンベア台車の上面上に昇降する下方開口の箱体状からなり、内部に上下動する袋押え板と、該袋押え板と協働して袋口部を押える押え金と、さらに袋口側には上下動する熱圧着体とを設け、さらに、前記真空チャンバーの下端面には、前記コンベア台車の上面と傾斜ベルトコンベアとの段差部を完全密封するため、シリコンゴムからなる密封体を設けることを特徴とする請求項２記載の傾き移送式真空包装装置。
【請求項４】
前記受け枕は、ベルトコンベア枠に上下動可能に密封嵌合され、前記コンベア台車には、前記ベルトコンベア枠に設けた前記受け枕を上下動させる押上シリンダーを設け、前記受け枕は上下動する熱圧着体とで充填された袋の赤道の位置合わせで密封シールを行うことを特徴とする請求項２記載の傾き移送式真空包装装置。
【請求項５】
前記受け枕は、押上シリンダーで押し上げた時に前記受け枕の高さ位置が設定され、押上シリンダーを後退させた時に前記受け枕が自重で下降するように形成されていることを特徴とする請求項４記載の傾き移送式真空包装装置。
【手続補正２】
【補正対象書類名】明細書
【補正対象項目名】全文
【補正方法】変更
【補正の内容】
【発明の詳細な説明】
【技術分野】
【０００１】
本発明は、粉状物や流動物、例えば米、豆やカレー、シチューなどを、全ての作業が内容物を溢（こぼ）すことなく傾斜状態で行われる傾き移送式真空包装装置に関する。
【背景技術】
【０００２】
従来、袋ホッパーの空袋を取り上げて斜めに空袋を開口保持して被包装物を傾斜状態で袋詰し、袋詰した袋を傾斜状態でそのまま移送し真空密封包装し、真空密封した包装袋を連続的に搬出する真空包装装置が知られている（特許文献１を参照）。
この公知技術は、袋詰めした袋を下方に待機している移動テーブルに載せ、前記移動テーブルを真空包装部へ移動させ、前記真空包装部では最初にエアー噴射ノズルが作動して袋口を予備開口し、その後、拡開爪が前進して拡開し、袋口部を左右に拡げて袋口を揃え、その後、真空バケットを被せることにより移動テーブル上面と真空バケット内面とで形成したチャンバーの内部を減圧し、押圧パッドにより袋詰された袋を押圧することで袋詰めされた袋を平坦にし、平坦にした状態で上下動するヒーター作動シリンダーロッドの下端に設けたヒーターにより袋口部を完全に真空包装する真空包装装置である。
【０００３】
上記公知技術の真空包装装置は、移動テーブルが袋詰め部と真空包装部とを往復動しなければならないため、大量に処理しなければならない場合には往復時間のタイムロスが大きく改善が望まれていた。
そこで、本出願人は、前記真空包装装置を改良し、袋詰め部と真空包装部とを傾斜ベルトコンベアにより内容物を溢（こぼ）すことなく連続的に包装できる真空包装装置を開発した。
【０００４】
また、袋口部のシールを皺なく、綺麗に仕上げるために、充填された袋の赤道（袋詰めされた袋の厚さの二等分線）の位置合わせで密封シールを行うように改善した。
【先行技術文献】
【特許文献】
【０００５】
【特許文献１】特開２０１１−２４６１３４号公報
【発明の概要】
【発明が解決しようとする課題】
【０００６】
本発明は、袋詰め部と真空包装部とを傾斜ベルトコンベアにより内容物を溢（こぼ）すことなく連続的に移送できる傾き移送式真空包装装置を提供することを目的とする。
【課題を解決するための手段】
【０００７】
本発明の傾き移送式真空包装装置は、調味液を充填するタレ供給ノズルを備えた袋詰め部と、袋口部を拡開させる拡開装置及び真空チャンバーとからなる真空包装部と、前記袋詰め部と前記真空包装部に渡って配置されたコンベア台車とからなり、該コンベア台車は、前記袋詰め部側に前記タレ供給ノズルに対向してタレ流下溝及び袋位置決め板を設けると共に、前記真空包装部側に前記拡開装置に対向して受け枕を設け、さらに前記コンベア台車の全長に亘って進行方向に対してコンベアベルトの片側を高くし反対側を低くして傾（かたむ）いた状態で傾斜ベルトコンベアを懸架する。
前記真空チャンバーは、前記コンベア台車の上面上に昇降する下方開口の箱体状からなり、内部に上下動する袋押え板と、該袋押え板と協働して袋口部を押える押え金と、さらに袋口側には上下動する熱圧着体とを設け、さらに、前記真空チャンバーの下端面には、前記コンベア台車の上面と傾斜ベルトコンベアとの段差部を完全密封するため、シリコンゴムからなる密封体を設ける。
前記受け枕は、ベルトコンベア枠に上下動可能に密封嵌合され、前記コンベア台車には、前記ベルトコンベア枠に設けた前記受け枕を上下動させる押上シリンダーを設け、前記受け枕は上下動する熱圧着体とで充填された袋の赤道の位置合わせで密封シールを行う。
【発明の効果】
【０００８】
本発明の傾き移送式真空包装装置は、袋詰め部と真空包装部とを傾斜ベルトコンベアにより内容物を溢すことなく連続的に移送できるため、往復時間のタイムロスなく、かつ大量に処理することができる効果がある。
また、充填された袋の赤道（袋詰めされた袋の厚さの二等分線）の位置合わせで密封シールを行うため、袋口部のシールを皺なく、綺麗に仕上げることができる。
【図面の簡単な説明】
【０００９】
【図１】本発明の傾き移送式真空包装装置の傾斜ベルトコンベアに直面して表示した概略配置平面図である。
【図２】真空チャンバーを（ａ）下から見た底面図、（ｂ）Ａ−Ａ矢視部分断面図である。
【図３】真空チャンバーを袋詰め部側から見た右側面図である。
【図４】受け枕の（ａ）作動時、（ｂ）待機時の説明図である。
【発明を実施するための形態】
【００１０】
本発明の傾き移送式真空包装装置の一実施例を添付図面に基づいて、以下に説明する。
図１の概略平面図に示すように、本発明の傾き移送式真空包装装置は、調味液を充填するタレ供給ノズル１を備えた袋詰め部２と、袋口部を拡開させる拡開装置３及び真空チャンバー４とからなる真空包装部５と、前記袋詰め部２と前記真空包装部５に渡って配置されたコンベア台車６とからなり、該コンベア台車６は、前記袋詰め部２側に前記タレ供給ノズル１に対向してタレ流下溝７及び袋位置決め板８を設けると共に、前記真空包装部５側に前記拡開装置３に対向して受け枕９を設け、さらに前記コンベア台車６の全長に亘って進行方向に対してコンベアベルトの片側を高くし反対側を低くして傾いた状態で傾斜ベルトコンベア１０を懸架する。
【００１１】
前記袋詰め部２は、従来周知の袋詰め部のように、斜め上方位置に配置された往復移動可能な供給トレーと、該供給トレー内部に収納された被包装物を押し出す往復動可能なプッシャーと、前記供給トレーの先端下部に設けられ、袋詰め位置の空袋の袋口部に挿入される開口補助舌片と、該開口補助舌片に向かって斜め上方からエアーを吹き付けるエアーノズルとからなるものでも良いが、この実施例では、予め袋詰めされた魚卵（例えば、数の子）にタレ供給ノズル１により、調味液を充填する袋詰め部としている。
【００１２】
前記拡開装置３は、前記袋詰め部２の下流側に配置され、袋詰めされた袋Ｂに挿入され拡開することにより袋口を揃える左右の拡開爪１１と、該拡開爪１１をリンク機構により拡げる動作を行う拡開ロッド１２と、該拡開ロッド１２を前後に移動させる拡開動作シリンダー１３からなる。
前記真空チャンバー４は、図２（ａ）の下から見た底面図に示すように、前記コンベア台車６の上面上に昇降する下方開口の箱体状からなり、内部に上下動する袋押え板１４と、該袋押え板１４と協働して袋口部を押える押え金１５と、さらに袋口側には上下動する熱圧着体１６とを設ける。
さらに、前記真空チャンバー４の下端面には、図２（ｂ）のＡ−Ａ矢視部分断面図に示すように、前記コンベア台車６の上面と傾斜ベルトコンベア１０との段差部を完全密封するため、シリコンゴムからなる密封体１７を設ける。なお、番号１８は、真空度を調節するための真空調整バルブである。
【００１３】
前記コンベア台車６は、前記袋詰め部２側に前記タレ供給ノズル１に対向して、こぼれた液を受け取るタレ流下溝７及び袋口を当接する袋位置決め板８を設けると共に、前記真空包装部５側に前記拡開装置３に対向した位置に受け枕９を設け、さらに前記コンベア台車６の全長に亘って進行方向に対してコンベアベルトの片側を高くし反対側を低くして傾いた状態で傾斜ベルトコンベア１０を懸架する。
前記コンベア台車６は、図１に示すように、前記袋詰め部２と前記真空包装部５に渡って配置される長さに形成され、図３の袋詰め部側から見た右側面図に示すように、脚部にキャスター１９を設けて移動自在とし、前記コンベア台車６を前記真空包装部５の支持フレーム２０内へ出し入れ自在にする。
また、前記コンベア台車６の上部には左右方向に長さの違う支柱２１、２２を配置し、進行方向に対してコンベアベルトの片側を高くし反対側を低くして傾（かたむ）き移送できるようにベルトコンベア枠２３を設け、図１に示すように、両端に傾斜プーリー２４を配置して傾斜ベルトコンベア１０を懸架する。
前記真空包装部５側の傾斜プーリー２４には噛合いクラッチ２５を介してモーター２６を配置し、前記コンベア台車６を移動する際には、前記モーター２６を後退させて噛合いクラッチ２５を外し、移動可能にする。
図３に示すように、前記コンベア台車６には、前記ベルトコンベア枠２３に設けた受け枕９を上下動させる押上シリンダー２７を設ける。
前記受け枕９は、前記ベルトコンベア枠２３に上下動可能に密封嵌合され、充填された袋Ｂの赤道（袋詰めされた袋の厚さの二等分線）の位置合わせで密封シールを行うようにする。
図４（ａ）の説明図に示すように、押上シリンダー２７で押し上げた時に前記受け枕９の高さ位置が設定される。また、図４（ｂ）の説明図に示すように、押上シリンダー２７を後退させた時には前記受け枕９が自重で下降するように形成されている。
したがって、充填された袋Ｂの厚さに応じて前記受け枕９の高さ位置を変える場合は、前記受け枕９を引き抜き、高さ調節した別の受け枕９を挿入することで新しい充填された袋Ｂの厚さに対応することができる。
なお、図１の２８はエアーホース、図３の２９はエアーシリンダーである。
【００１４】
次に、本発明の傾き移送式真空包装装置の操作動作を添付図面に基づいて、以下に説明する。
図１に示すように、あらかじめ被包装物（例えば、数の子）を袋詰めした袋Ａをそれぞれのタレ供給ノズル１に、袋位置決め板８に袋口縁を当接させて位置決めする。袋詰めされた袋Ａがセッテングされたことをセンサーで検知すると、袋詰め部２が動作して前記タレ供給ノズル１から調味液が前記袋詰めされた袋Ａに充填される。
充填が終了すると、傾斜ベルトコンベア１０が回転して前記袋詰めされた袋Ａは真空包装部５へ送られる。その際、前記傾斜ベルトコンベア１０は、図３に示すように進行方向に対してコンベアベルトの片側を高くし反対側を低くして袋口が上方を向き傾いた状態であるため、調味液が前記袋詰めされた袋Ａからこぼれることはない。
前記真空包装部５では、拡開装置３の拡開動作シリンダー１３が作動して拡開爪１１が前進し、拡開ロッド１２のリンク機構により前記拡開爪１１が左右に拡開して充填された袋Ｂの袋口を拡げて平坦に揃える。
【００１５】
真空チャンバー４がエアーシリンダー２９により下降してベルトコンベア枠２３と傾斜ベルトコンベア１０との段差部を密封体１７によりシールして密封状態を維持すると同時に、袋押え板１４により前記充填された袋Ｂを押えて平坦状態にし、押え金１５により平坦にされている袋口部を押える。
そして、図４（ａ）に示すように、押上シリンダー２７で受け枕９を押し上げ、前記真空チャンバー４内の空気を抜いて減圧し、前記受け枕９と熱圧着体１６により密封シールする。
その後、前記真空チャンバー４を大気圧に戻し、エアーシリンダー２９により前記真空チャンバー４を上昇させて前記傾斜ベルトコンベア１０を回転させて前記充填された袋Ｂを搬出する。その際、前記袋詰め部２では前記袋詰めされた袋Ａへの調味液の充填が完了しており、引き続き、次の充填された袋Ｂの真空包装が行える。
【符号の説明】
【００１６】
１  タレ供給ノズル
２  袋詰め部
３  拡開装置
４  真空チャンバー
５  真空包装部
６  コンベア台車
７  タレ流下溝
８  袋位置決め板
９  受け枕
１０  傾斜ベルトコンベア
１１  拡開爪
１２  拡開ロッド
１３  拡開動作シリンダー
１４  袋押え板
１５  押え金
１６  熱圧着体
１７  密封体
１８  真空調整バルブ
１９  キャスター
２０  支持フレーム
２１  支柱
２２  支柱
２３  ベルトコンベア枠
２４  傾斜プーリー
２５  噛合いクラッチ
２６  モーター
２７  押上シリンダー
２８  エアーホース
２９  エアーシリンダー
Ａ 袋詰めされた袋
Ｂ 充填された袋
【手続補正３】
【補正対象書類名】図面
【補正対象項目名】図２
【補正方法】変更
【補正の内容】
【図２】
2018002252.tif 000007
【手続補正書】
【提出日】平成29年4月24日(2017.4.24)
【手続補正１】
【補正対象書類名】明細書
【補正対象項目名】０００１
【補正方法】変更
【補正の内容】
【０００１】
本発明は、粉状物や流動物、例えば米、豆やカレー、シチューなどを、全ての作業が傾斜状態で行われる傾き移送式真空包装装置に関する。
【手続補正２】
【補正対象書類名】明細書
【補正対象項目名】０００３
【補正方法】変更
【補正の内容】
【０００３】
上記公知技術の真空包装装置は、移動テーブルが袋詰め部と真空包装部とを往復動しなければならないため、大量に処理しなければならない場合には往復時間のタイムロスが大きく改善が望まれていた。
そこで、本出願人は、前記真空包装装置を改良し、袋詰め部と真空包装部とを傾斜ベルトコンベアにより連続的に包装できる真空包装装置を開発した。
【手続補正３】
【補正対象書類名】明細書
【補正対象項目名】０００６
【補正方法】変更
【補正の内容】
【０００６】
本発明は、袋詰め部と真空包装部とを傾斜ベルトコンベアにより連続的に移送できる傾き移送式真空包装装置を提供することを目的とする。
【手続補正４】
【補正対象書類名】明細書
【補正対象項目名】０００８
【補正方法】変更
【補正の内容】
【０００８】
本発明の傾き移送式真空包装装置は、袋詰め部と真空包装部とを傾斜ベルトコンベアにより連続的に移送できるため、往復時間のタイムロスなく、かつ大量に処理することができる効果がある。
また、充填された袋の赤道（袋詰めされた袋の厚さの二等分線）の位置合わせで密封シールを行うため、袋口部のシールを皺なく、綺麗に仕上げることができる。